(57)【特許請求の範囲】
【請求項１】
ロール収納箱に取り付けられ、該ロール収納箱から引き出したロールシートを切断するカッターにおいて、該カッターは、その縁部が鋭角的な三角形状の切り込み部により分割されて鋸刃状に連設する多数のカッター片を備え、且つ該多数のカッター片は、９０°以下の角度αの歯先を各々備えるとともに、各歯先を形成する一辺が一本の直線上に断続的に連なっており、上記切り込み部の先端に、該先端からさらに深く切り込み延長するスリット部を備えており、該スリット部は、上記各切り込み部を形成する一対の内側辺のうち、歯先を形成しない一方の内側辺の延長方向に沿って切断形成されるか、あるいは歯先を形成する他方の内側辺の延長方向に沿って切断形成されるロール収納箱用カッター。
【請求項２】
ロール状に巻かれたロールシートが収納される箱本体の上方開口部における１側縁に蓋体が起伏自在に連接されており、該蓋体の先端部には箱本体の前側面と重なり合う掩蓋片が連接されているロール収納箱において、上記掩蓋片には、上記箱本体から引き出したロールシートを切断するカッターであって、その縁部が鋭角的な三角形状の切り込み部により分割されて鋸刃状に連設する多数のカッター片を備え、且つ該多数のカッター片は９０°以下の角度αの歯先を各々備えるとともに各歯先を形成する一辺が一本の直線上に断続的に連なっており、上記切り込み部の先端に、該先端からさらに深く切り込み延長するスリット部を備えており、該スリット部は、上記各切り込み部を形成する一対の内側辺のうち、歯先を形成しない一方の内側辺の延長方向に沿って切断形成されるか、あるいは歯先を形成する他方の内側辺の延長方向に沿って切断形成されるカッターが取り付けられているロール収納箱。
【請求項３】
上記ロールシートがラッピングフィルムである請求項２記載のロール収納箱。
【発明の詳細な説明】
【０００１】
【発明の属する技術分野】
本発明は、ロール収納箱用カッター及び該収納箱用カッターが取り付けられているロール収納箱に関する。
【０００２】
【従来の技術】
食品の電子レンジによる加熱や、冷蔵、冷凍保存等の際に用いられる家庭用あるいは業務用ラッピングフィルムとして、従来よりポリ塩化ビニリデン、ポリ塩化ビニル、ポリエチレン、ポリプロピレン等を主成分とするフィルムが用いられている。これらのフィルムは、紙管にロール状に巻かれた状態で収納箱に収納されており、使用時には収納箱から引き出して所望の長さで切断して用いられることになる。また、アルミホイルやその他のロール可能なロールシートも同様に、紙管にロール状に巻かれた状態で収納箱に収容され、使用時には引き出して所望の大きさに切断されることになる。
【０００３】
そして、かかるラッピングフィルムやアルミホイル等のロールシートの切断は、これらを収納している収納箱の、例えば蓋体の端縁部等に沿って付設される鋸刃状のカッターによってなされている。すなわち、収納箱の開口部から引き出したロールシートの切断予定箇所を、このカッターに押し当てて切断することにより、所望の大きさのシート片が得られることになる。
【０００４】
【発明が解決しようとする課題】
しかしながら、従来のロール収納箱に付設された鋸刃状のカッターによれば、図５（ａ）及び（ｂ）に示されるように、その鋸刃２０の形状は、先端が尖ったＶ字形の多数のカッター片２１が連続する波形形状となっているため、特に伸び率の大きな例えばポリエチレン系やポリエチレン系の樹脂からなるラッピングフィルムに対しては、カット性能が低下したりスムースな切断が困難になる場合がある。また、鋸刃２０の形状をより鋭利なものにすることも考えられているが、ハンドリング時の取り扱いが不便になる。
【０００５】
本発明は、伸び率の大きなロールシートをも容易に切断することができるとともに、ハンドリング時における取り扱い性に優れたロール収納箱用カッター及び該収納箱用カッターを用いたがロール収納箱を提供することを目的とする。
【０００６】
【課題を解決するための手段】
請求項１記載の発明は、ロール収納箱に取り付けられ、該ロール収納箱から引き出したロールシートを切断するカッターにおいて、該カッターは、その縁部が鋭角的な切り込み部により分割されて鋸刃状に連設する多数のカッター片を備え、且つ該多数のカッター片は、９０°以下の角度αの歯先を各々備えるとともに、各歯先を形成する一辺が一本の直線上に断続的に連なるロール収納箱用カッターを提供することにより、上記目的を達成したものである。
【０００７】
請求項３記載の発明は、ロール状に巻かれたロールシートが収納される箱本体の上方開口部における１側縁に蓋体が起伏自在に連接されており、該蓋体の先端部には箱本体の前側面と重なり合う掩蓋片が連接されているロール収納箱において、上記掩蓋片には、上記箱本体から引き出したロールシートを切断するカッターであって、その縁部が鋭角的な切り込み部により分割されて鋸刃状に連設する多数のカッター片を備え、且つ該多数のカッター片は９０°以下の角度αの歯先を各々備えるとともに各歯先を形成する一辺が一本の直線上に断続的に連なるカッターが取り付けられているロール収納箱を提供することにより、上記目的を達成したものである。
【０００８】
【発明の実施の形態】
本発明の好ましい実施形態によれば、ロール収納箱１は、図１（ａ）及び（ｂ）に示すように、ロールシートとしてのラップフィルム２を、紙管１２にロール状に巻き付けた状態で収納箱本体３に収納している。
【０００９】
このロール収納箱１の蓋体４ａは、起伏自在に形成され、該蓋体４ａの先端には、掩蓋片４ｂとその端縁部５において切取線１７で連結された開封片６とが設けられている。また、該開封片６の裏側と収納箱本体３の前側面が、数ヵ所のスポットで接着されている。さらに、端縁部５の裏面に沿って、ロール収納箱用カッター７が、開封片６を取り去った時にその縁部１３が端縁部５から突出するように設けられている。
【００１０】
ロール収納箱用カッター７は、例えば、金属製（特にステンレス製）、硬質プラスチック製、硬質セラミック製、紙を芯材とするもの（例えば紙に樹脂を含浸させたもの）等からなり、好ましくは厚さは０．０５〜１ｍｍの厚さを備える。０．０５ｍｍ以上の厚さであれば容易に曲がることのない十分な強度を備ることになり、１ｍｍ以下の厚さであればコスト高を招くことがない。
【００１１】
また、本実施形態によれば、ロール収納箱用カッター７は、図２（ａ）及びカッター７の縁部１３を拡大して示す図３に示すように、その縁部１３が鋭角的な多数の切り込み部９により分割されて鋸刃状に連設する多数のカッター片１４を備え、且つこの多数のカッター片１４は、９０°以下の角度αの歯先Ａを各々備えるとともに（図３参照）、各歯先Ａを形成する一辺１１が上記縁部１３の先端辺に相当する一本の直線１５上に断続的に連なっている。
【００１２】
ここで、上記切り込み部９は、例えばプレス加工や切り込み鋏等を用いて容易に形成することができる。また、この切り込み部９は、縁部１３の先端辺１５から斜め後方に向かって鋭角的に絞り込むようにして、切り込み深さがＨ１が例えば０．５〜２ｍｍ、好ましくは０．５〜１ｍｍ、先端辺１５における切り込み幅Ｗが例えば０．５〜３ｍｍ、好ましくは０．８〜２ｍｍの大きさで各々切り込み形成されることにより、各カッター片１４は、９０°以下の角度αの歯先Ａを各々備えることになる。そして刃先Ａの角度が９０°以下であることにより、フィルムに突きささり、その切り口を拡げるという作用効果が得られることになる。
【００１３】
本実施形態によれば、ロール収納箱１に収納されたラップフィルム２を使用する際には、まず、上記開封片６を上記収納箱本体３の前側面から剥がし取り、切取線で分離して取り去ると、蓋体４は起立開閉可能な状態となって、蓋体４によって覆われていた収納箱本体３の開口部８（図１（ｂ）参照）からラップフィルム２を引き出し可能になるとともに、掩蓋片４ｂの端縁部５からは、カッター７の鋸刃状の縁部１３が突出することになる。
【００１４】
そして、ラップフィルム２をロール状態から開放しつつ開口部８を介して引き出すとともに、必要な長さだけ引き出したら、この引き出した根本部分をカッター７の縁部１３に押し付けるようにすれば、このカッター７に沿って、ラップフィルム２が所望の大きさに容易に切断されることになる。
【００１５】
ここで、本実施形態によれば、カッターを構成する各カッター片１４が、９０°以下の角度αの歯先Ａを各々備えるとともに、各歯先Ａを形成する一辺１１が上記縁部１３の先端辺１５に相当する一本の直線上に断続的に連なっているので、ラップフィルム２が例えばポリエチレン系やポリエチレン系の樹脂からなる伸び率の大きなものであっても、ラップフィルム２に撚れやちぎれを生じさせることなくスムースに切断してゆくことができるとともに、ハンドリング時にカッター７の鋭利な部分に触れ難いので、その取り扱いが容易になる。
【００１６】
また、図２（ａ）及び図４（ａ），（ｂ）は、本発明の他の実施形態を示すもので、この実施形態では、カッター７を構成する多数のカッター片１４は、切り込み先端部分からさらに深く切り込み延長するスリット部１０を備える切り込み部９’を介して分割形成されている。ここで、各切り込み部は９’は、図３に示す上記実施形態の切り込み部９と同様の形状を有している。また、スリット部１０は、図４（ａ）に示すように、スリット開始末端Ｓｓからスリット終焉末端Ｓｅにかけて、例えばプレス加工や切り込み鋏等を用いて単に切断することによって形成され、スリット開始幅Ｗｓ及びスリット終焉幅Ｗｅが実質０μｍのものから、特定のスリット幅を有してスリット開始幅Ｗｓからスリット終焉幅Ｗｅにかけて一定のもの、さらにはスリット開始幅Ｗｓからスリット幅終焉Ｗｅにかけて狭くなるもの等とすることができる。なお、スリット深さＨ２は０．５〜３ｍｍ、さらには０．５〜２ｍｍとすることが好ましい。一方、スリット開始幅Ｗｓおよびスリット終焉幅Ｗｅは０〜２００μｍ、さらには０〜１００μｍとすることが好ましい。
【００１７】
そして、本実施形態によれば、カッター片１４が、スリット部１０を備える切り込み部９’を介して分割形成されていることにより、カッター片１４により作られたフィルムの切り口と切り口との間の切断を容易にするという作用効果が得られる。
【００１８】
なお、図４において、（ａ）は、各切り込み部９’を形成する一対の内側辺１９，１９’のうち、歯先Ａを形成しない一方の内側辺１９’の延長方向に沿ってスリット部１０を切断形成したものであり、（ｂ）は、歯先Ａを形成する他方の内側辺１９の延長方向に沿ってスリット部１０を切断形成したものである。
【００１９】
図２（ｃ）は、本発明のさらに他の実施形態を示すもので、この実施形態によれによれば、カッター７の縁部１３における中央部分を挟んでその両側に位置するカッター片１４の歯先Ａが、左右異なる方向に向くように構成され、これによって、両方向（右方向及び左方向）いずれからでも、ラップフィルム２を容易に切断してゆくことができるようになっている。
【００２０】
なお、本発明は上記各実施形態に限定されることなく種々の変更が可能である。例えば、ラッピングフィルムを収納する収納箱の他、アルミホイルやその他のロール可能なロールシートを、紙管にロール状に巻いた状態で収納する種々のロール収納箱に対しても採用することができる。
【００２１】
【発明の効果】
以上説明したように、本発明のロール収納箱用カッターあるいはロール収納箱によれば、ロールシートを切断するカッターは、その縁部が鋭角的な切り込み部により分割されて鋸刃状に連設する多数のカッター片を備え、且つ該多数のカッター片は９０°以下の角度αの歯先を各々備えるとともに各歯先を形成する一辺が一本の直線上に断続的に連なっているので、伸び率の大きなロールシートをも容易に切断することができるとともに、ハンドリング時における取り扱い性にも優れている。
【図面の簡単な説明】
【図１】（ａ）は、本発明の実施形態にかかるロール収納箱の開封前の形態を示す斜視図で、（ｂ）は、図１（ａ）のＡ−Ａ線矢視断面図である。
【図２】図２（ａ）〜（ｃ）は、本発明の実施形態にかかるロール収納箱用カッターをそれぞれ示す平面図である。
【図３】図３は、図２（ａ）に示されるロール収納箱用カッターの部分拡大平面図である。
【図４】（ａ）及び（ｂ）は、他の実施形態にかかる係るロール収納箱用カッターの部分拡大平面図である。
【図５】（ａ）及び（ｂ）は、従来のラップフィルム収納箱に用いられるカッターの形態をそれぞれ示す平面図である。
【符号の説明】
１  ロール収納箱
２  ラップフィルム（ロールシート）
３  収納箱本体
４ａ  蓋体
４ｂ  掩蓋片
５  端縁部
６  開封片
７  ロール収納箱用カッター
８  開口部
９，９’切り込み部
１０  スリット部
１１  一辺
１３  縁部
１４  カッター片
１５  直線（先端辺）
Ａ  歯先
【図１】
0004124294.tif 000002
【図２】
0004124294.tif 000003
【図３】
0004124294.tif 000004
【図４】
0004124294.tif 000005
【図５】
0004124294.tif 000006